(57)【要約】【課題】  封水を確実に形成できるとともに排水の初期の段階でも排水効率を向上させることのできる屋内排水システムを提供することにある。【解決手段】  シンク１２の排水口１２Ａにポンプ２０のポンプ室２２に設けた吸込口２１が接続され、そのポンプ室２２の吐出口２５に排水管１３が接続され、排水口１２Ａから排水された水をポンプ２０で強制的に排水管１３へ圧送する屋内排水システム１０であって、吐出口２５の位置を吸込口２１の位置より高くし、吸込口２１に逆止弁１４を設けてポンプ室２２をトラップにした。【選択図】  図１
2005113582.tif 000002
【特許請求の範囲】
【請求項１】
排水源の排水口にポンプのポンプ室に設けた吸込口が接続され、そのポンプ室の吐出口
に排水管が接続され、前記排水口から排水された水をポンプで強制的に排水管へ圧送する
屋内排水システムであって、
前記吐出口の位置を吸込口の位置より高くし、
前記吸込口に逆止弁を設けてポンプ室をトラップにしたことを特徴とする屋内排水シス
テム。
【請求項２】
前記トラップ内の圧力を検出する圧力センサと、
この圧力センサが検出する圧力に応じて前記ポンプのモータを制御する制御手段とを備
えていることを特徴とする請求項１に記載の屋内排水システム。
【発明の詳細な説明】
【技術分野】
【０００１】
この発明は、例えば流し台から排水される水を排水管へ強制的に圧送する屋内排水シス
テムに関する。
【背景技術】
【０００２】
従来から、図２に示す屋内排水システムが知られている（特許文献１参照）。
【０００３】
かかる屋内排水システムは、シンク１の排水口１ａに接続された接続管２と、排水立て
管３に接続された排水管４と、その接続管２を通って流れてきた水を排水管４へ強制的に
圧送するポンプ５とを有している。そして、排水管４の一端側と他端側とにはコンクリー
トスラブ６から立ち上がった段部４ａ,４ｂが形成され、この段部４ａ,４ｂ間に排水が残
存するようになっている。この排水が残存する排水管４の段部４ａ,４ｂ間が大きなトラ
ップとなり、封水機能として作用することになる。
【０００４】
また、ポンプ５は接続管２に設けたセンサＳが排水を検知したとき駆動するようになっ
ている。
【特許文献１】特開平３−１２２３２４号公報
【発明の開示】
【発明が解決しようとする課題】
【０００５】
しかしながら、このような屋内排水システムにあっては、排水管４の段部４ａ,４ｂ間
に排水を残存させているが、その排水管４の配設工事の際に段部４ａ,４ｂ間を破損させ
てしまう虞があり、その段部４ａ,４ｂ間が破損すると水漏れが発生し、封水が形成でき
なくなってしまう。
【０００６】
また、シンク１の排水口１ａから排水が行われてセンサＳがその排水を検知するとポン
プが駆動し始めるが、そのポンプが駆動する前では排水管４の段部４ａとシンク１の排水
口１ａ間には排水が残存せずに空気のみが存在する。このため、センサＳがその排水を検
知した初期の段階ではポンプ５は空回りする状態となり、ポンプ５による強制排水が行わ
れない。すなわち、排水の初期の段階では排水効率が悪いという問題があった。
【０００７】
この発明の目的は、封水を確実に形成できるとともに排水の初期の段階でも排水効率を
向上させることのできる屋内排水システムを提供することにある。
【課題を解決するための手段】
【０００８】
請求項１の発明は、排水源の排水口にポンプのポンプ室に設けた吸水口が接続され、そ
のポンプ室の吐出口に排水管が接続され、前記排水口から排水された水をポンプで強制的
に排水管へ圧送する屋内排水システムであって、
前記吐出口の位置を吸水口の位置より高くし、
前記吸水口に逆止弁を設けてポンプ室をトラップにしたことを特徴とする。
【０００９】
請求項２の発明は、前記トラップ内の圧力を検出する圧力センサと、
この圧力センサが検出する圧力に応じて前記ポンプのモータを制御する制御手段とを備
えていることを特徴とする。
【発明の効果】
【００１０】
請求項１および請求項２の発明によれば、吐出口の位置を吸込口の位置より高くし、吸
込口に逆止弁を設けてポンプ室をトラップにしたものであるから、封水を確実に形成する
ことができ、ポンプ室に排水が残存するものであるか排水の初期の段階でも排水効率を向
上させることができる。
【発明を実施するための最良の形態】
【００１１】
以下、この発明に係る屋内排水システムの実施例を図面に基づいて説明する。
【実施例】
【００１２】
図１に示す屋内排水システム１０は、流し台１１のシンク（排出源）１２と、このシン
ク１２から排水される水を強制的に排水するポンプ２０と、排水管１３等とを備えている
。
【００１３】
シンク１２の排出口１２Ａには接続管１７の一端が接続され、この接続管１７の他端は
逆止弁１４を介してポンプ２０の吸込口２１に接続されている。逆止弁１４は接続管１７
側からポンプ２０側への一方向のみに水を流すようになっている。
【００１４】
ポンプ２０は、ポンプ室２２と、このポンプ室２２内に配置されたファン２３と、この
ファン２３を回転させるモータ２４とを備えている。ポンプ室２２の下部には吸込口２１
が設けられており、ポンプ室２２の上部には吐出口２５が設けられている。そして、ファ
ン２３が回転すると吸込口２１から水を吸い込み、この吸い込んだ水が吐出口２５から吐
出されるようになっている。
【００１５】
吐出口２５の高さ位置は吸込口２１の高さ位置より高くなっており、また、吸込口２１
に逆止弁１４が設けられていることにより、ポンプ室２２がトラップを形成し、ポンプ室
２２には排水Ｗが残存する。
【００１６】
ポンプ室２２内には圧力センサ２７が設けられており、この圧力センサ２７が検出する
圧力に基づいてモータ２４をコントローラ３０が制御するようになっている。コントロー
ラ３０は流し台１１内に配置される。
【００１７】
ポンプ室２２の吐出口２５には排水管１３の一端が接続され、この排水管１３は床板１
５の孔１５Ａを通って床板１５の下に配設されている。この排水管１３の径は接続管１７
の径より小さく設定され、床板１５と隔壁（コンクリートスラブ）１６との間に自由に配
設できるようになっている。そして、排水管１３の他端は図示しない排水立て管に接続さ
れている。また、排水管１３の一端側部１３Ａは所定の長さを有するとともにほぼ水平と
なっている。この一端側部１３Ａを昇り勾配にしてエアー抜きの促進効果を図ってもよい
。
［動  作］
次に、上記のように構成される屋内排水システム１０の動作について説明する。
【００１８】
シンク１２内の水が排出口１２Ａから接続管１７へ排水されると、逆止弁１４を通って
ポンプ室２２内に流入してくる。この流入によりポンプ室２２内の圧力が高くなり、圧力
センサ２７がその圧力を検出する。コントローラ３０は、圧力センサ２７の検出圧力が予
め設定した閾値を越えたときモータ２４を駆動させてファン２３を回転させる。このファ
ン２３の回転によりポンプ室２２内の残存排水Ｗが吐出口２５から吐出されていく。
【００１９】
吐出口２５から吐出される排水は排水管１３へ圧送されて図示しない排水立て管へ排水
されていく。
【００２０】
他方、ポンプ室２２内の残存排水Ｗが吐出口２５から吐出されることにより、接続管１
７内の水が吸込口２１からポンプ室２２内へ吸引されていく。この吸引により、接続管１
７を介してシンク１２内の水を吸引していくのでシンク１２内の水を短時間で排水するこ
とができることになる。
【００２１】
モータ２４の駆動開始時には、ポンプ室２２内に排水Ｗが残存しているので、モータ２
４が空回りすることなく、その残存排水Ｗがポンプ室２２の吐出口２５から排水されてい
き、この排出により接続管１７内の水がポンプ室２２の吸込口２１へ吸引されていくので
、モータ２４の駆動開始時でも排水効率が向上する。
【００２２】
また、ポンプ室２２内には空気が混入した排水が流入してくるが、排水が終了した後、
時間の経過とともにその混入した空気は上に上昇してポンプ室２２の吐出口２５から排水
管１３へ抜けていくので、次のモータ２４の駆動開始時におけるいわゆるエアかみ状態を
解消することができる。
【００２３】
さらに、圧力センサ２７をポンプ室２２内に設けたので、ファン２３の回転によって生
じる水流により、その圧力センサ２７の表面がクリーニングされる。このため、圧力セン
サ２７の検知精度を長期間に亘って維持することができる。
【００２４】
シンク１２内に水が完全に排水されると、圧力センサ２７の検出圧力が低下し、この検
出圧力の低下に基づいてコントローラ３０はモータ２４の駆動を停止させて排水は終了す
る。
【００２５】
この実施例では、圧力センサ２７の検出圧力に基づいてモータ２４の駆動を停止させて
いるが、排水が終了するとモータ２４の負荷が低下するので、このモータ２４の負荷を検
知してその負荷が低下したときモータ２４の駆動を停止させるようにしてもよい。
【００２６】
この実施例によれば、ポンプ室２２をトラップにしたものであるから、配管工事の際に
ポンプ室２２を破損してしまう虞はなく、このためポンプ室２２に排水を確実に残存させ
ることができ、ポンプ室２２に封水を確実に形成することができる。また、たとえポンプ
室２２から水漏れが発生しても、ポンプ２０は流し台１１内に配置するので、その水漏れ
は直ぐに分かり、速やかに対処することができる。
【図面の簡単な説明】
【００２７】
【図１】この発明に係る屋内排水システムの実施例の構成を示した説明図である。
【図２】従来の屋内排水システムを示した説明図である。
【符号の説明】
【００２８】
１０                屋内排水システム
１２                シンク（排水源）
１２Ａ              排水口
１３                排水管
１４                逆止弁
２０                ポンプ
２２                ポンプ室
２５                吐出口
【図１】
2005113582.tif 000003
【図２】
2005113582.tif 000004